(57)【要約】【課題】個別ケースが閉じられた状態で保持すべき精密工具に完全な締付力を作用させる。【解決手段】下部ベース部が折損の恐れのある対象物のシャフトを収容するための受入口１０を有し、精密工具７を固定するための溝形ホルダを有する保護部３がベース部２に旋回可能に配置されている個別ケースであって、スライド可能な保護カバー２４によってベース部との係合を利用して縦方向に密封可能で、ベース部に形成された受入口が保持すべき工具を緩く嵌合し、保護部が締付部と収容部として形成される少なくとも２つの機能的に分離された部位で構成されており、保護カバーを個別ケース上にスライドさせることによって、締付部４が精密工具７に締付け作用を発揮することを特徴とする精密工具用の個別ケース。【選択図】  図１
2008188764.tif 000002
【特許請求の範囲】
【請求項１】
工具のシャフトを軸方向に収容するための受入口を有するベース部と、
前記ベース部に対して軸方向に直立した状態と側方へ倒れた状態との間で回動可能に取り付けられた保護部とを備え、
前記保護部を前記ベース部に対して軸方向に直立させた状態で、該保護部を包み込む様に前記ベース部に対して軸方向にスライド可能な保護カバーを係合させることにより閉じた状態とする個別ケースであって、
前記ベース部に形成された前記受入口は、前記工具のシャフトに緩く外嵌して固定することができる様に構成され、
前記保護部が、前記受入口に緩く嵌合された前記工具のシャフトに側面から嵌合する溝型の締付部と、該締付部に対して前記ベース部とは反対の側に形成され、前記受入口に嵌合された工具のシャフトを側面から包み込む収容部とを備え、
前記締付部は、前記保護カバーを前記ベース部に係合させたときに、該保護カバーの内面に押圧されて締付作用を発揮させるための圧迫用の突起又は膨らみを外面に備えていること
を特徴とする精密工具用の個別ケース。
【請求項２】
前記締付部の内面には、前記工具のシャフトの側面に嵌合し、保護カバーの被覆によって内側に移動して工具に作用する締付力が強化されるセンタリングリブを有することを特徴とする請求項１に記載の個別ケース。
【請求項３】
前記保護部の側壁部分には、前記収容部と前記締付部を分離するスリットが形成されていることを特徴とする請求項１又は２に記載の個別ケース。
【請求項４】
前記受入口がその内壁面に、軸方向に走るガイドリブを有していることを特徴とする請求項１〜３のいずれかに記載の個別ケース。
【請求項５】
工具のシャフトを軸方向に収容するための受入口を有するベース部と、
前記ベース部に対して軸方向に直立した状態と側方へ倒れた状態との間で回動可能にヒンジ結合された保護部とを備え、
前記保護部を前記ベース部に対して軸方向に直立させた状態で、該保護部を包み込む様に前記ベース部に対して軸方向にスライド可能な保護カバーを係合させることにより閉じた状態とする個別ケースであって、
前記ベース部に形成された前記受入口は、その内壁面に、軸方向に走るガイドリブを有し、
前記保護部は、前記ヒンジ側に形成され、前記受入口にシャフト下端を収容された前記工具のシャフトに側面から嵌合する溝型の締付部と、該締付部に対して前記ヒンジとは反対の側に形成され、前記受入口に収容された工具のシャフトを側面から覆い隠す収容部とを備え、
前記保護部の側壁部分には、前記収容部と前記締付部を分離するスリットが形成され、
前記締付部は、前記保護カバーを前記ベース部に係合させたときに、該保護カバーの内面に押圧されて締付作用を発揮させるための圧迫用の突起又は膨らみを外面に備えていること
を特徴とする精密工具用の個別ケース。
【請求項６】
前記センタリングリブをエラストマを二色成形することによって構成したことを特徴とする請求項２〜５のいずれか記載の個別ケース。
【発明の詳細な説明】
【技術分野】
【０００１】
本発明は、精密工具用の個別ケースに関するものである。
【０００２】
このような個別ケースは本願出願人による  ＤＥ  １０  ２００５  ０２２  ３８５  Ａ１  により知られるようになった。そこで示されている既知の個別ケースは、折損の恐れのある対象物、特に精密工具を入れるためのホルダとなるベース部で主に構成される。
【０００３】
このベース部には適切なクランプリブを有する片側が開口した受入口が配置されており、この受入口の中へ保持すべき精密工具のシャフトを前側から押し入れることができる。
【０００４】
さらに、同じく片側が開口した溝形のホルダを形成する保護部が、水平軸上で旋回可能なようにベース部へつながっており、この受入溝部分にも精密工具を固定するための所定のクランピングホルダが配置されている。
【０００５】
さらに、個別ケース上を個別ケース全体の長辺方向へスライド可能な保護カバーがあり、上からまず保護部上をスライドした後、ベース部上にスライドして、工具が挿入されている片側が開口した溝形ホルダが密封されるようになっている。保護カバーはその際、該当する係合突起によってベース部の所定の係合突起に係合する。
【０００６】
このような精密工具用個別ケースは幅広く定評がある。しかしこのような個別ケースには、当該精密工具や他の折損の恐れがある対象物を不用意に自動装着できないという短所があるが、これはその好ましい設計において、ベース部に配置されたホルダに締付突起を形成するように指定されているからである。それが自動装着の妨げになるのは、保護すべき精密工具をベース部の片側が開口したホルダに挿入するのに、比較的大きな力を用いる必要があるからである。
【０００７】
また前記発明はその他の設計形状として、ベース部に締付具を有しないホルダも示している。その場合の装着プロセスは、まず保護部とベース部が同軸上に配置されてから、そこでその両部分が 1 つのつながった受入口を形成する形で行われる。その場合保護部には、その受入溝に締付具が設けられていても良い。保持すべき工具はその後、ベース部と保護部の間のフィルムヒンジで形成される水平ヒンジベアリングをまたいで、受入溝の中全体に渡って縦方向に押されて、受入溝の中に押し込まれる。
【０００８】
この装着プロセスは、(締付具がまだ保護部の受入溝の中に設けられている場合は特に)、保持すべき工具を保護部とベース部のつながった受入溝の中へ、比較的慎重に押し込まなければならないため、非常に難易度の高い、機械的な自動装着を意味する。
【０００９】
装着プロセスが完了後はカバーをスライドさせて全体を覆うことができ、カバー下辺はベース部の所定の突起に係合される。ここでのカバーの役割は前側へ開いた溝から工具が脱落しないようにすることに過ぎない。
【００１０】
既知の設計形状の欠点は、折損の恐れのある精密工具の個別ケースへの装着プロセスが比較的難易度が高いものであることと、受入溝内で精密工具が十分に固定されないという事実である。
【００１１】
前記出願に示されているのは、クランピングホルダを形成する弁状の弾性突起のみであり、そのため工具を保持する締付力はそれほど強くない。つまり、精密工具に作用するのは比較的不完全な締付力であるということになる。そのため比較的サイズや重量の大きい精密工具の場合は、締付力が不完全であるため、個別ケースが頭部を衝突したときに、保護すべき工具が受入溝内で動いてしまうばかりでなく、損傷してしまう危険さえ生じるという欠点が生じる。
【特許文献１】ＤＥ  １０  ２００５  ０２２  ３８５  Ａ１
【発明の開示】
【発明が解決しようとする課題】
【００１２】
そのため本発明の根底にある課題は、自動装着プロセスを簡易化させつつ、個別ケースが閉じられた状態で保持すべき精密工具に完全な締付力が作用するように、ＤＥ  １０  ２００５  ０２２  ３８５  Ａ１  の対象物に基づく個別ケースを発展させることである。
【課題を解決するための手段】
【００１３】
本発明は提示した課題の解決手段として、優先権の基礎出願の特許請求の範囲を直訳するならば、以下の構成を採用することができる。
[請求項 1] 下部ベース部が折損の恐れのある対象物のシャフトを収容するための受入口を有し、精密工具を固定するための溝形ホルダを有する保護部がベース部に旋回可能に配置されている個別ケースであって、スライド可能な保護カバーによってベース部との係合を利用して縦方向に密封可能な個別ケースであって、ベース部 (2) に形成された受入口 (10) が保持すべき工具 (7) を緩嵌し、保護部 (3) が締付部 (4) と収容部 (5) として形成される少なくとも 2 つの機能的に分離された部位で構成されており、保護カバー (24) を個別ケース (1) 上にスライドさせることによって、締付部 (4) が精密工具 (7) に締付け作用を発揮することを特徴とする精密工具用の個別ケース。
[請求項 2] 締付部 (4) が、保護カバー (24) の被覆によって保持すべき工具 (7) に作用する締付力が強化されるセンタリングリブ (16、17) を有することを特徴とする、請求項 1 に記載の個別ケース。
[請求項 3] 締付ホルダを有しない収容部 (5) が U プロファイル形状をして工具上部を保護するように囲んでいることを特徴とする、請求項 1 および 2 に記載の個別ケース。
[請求項 4] 締付部 (4) と同素材でそれに接合された収容部 (5) が U プロファイルとして形成されていることを特徴とする、請求項 1 から 3 のいずれかに記載の個別ケース。
[請求項 5] ベース部 (2) が、受入口 (10) の一部を形成する一回り外径の小さいフランジ (11) を有し、水平軸 (29) 上で上に載せられる保護部 (3) とフィルムヒンジ (13) によって同素材で接合されていることを特徴とする、前記請求項 1 および 4 のいずれかに記載の個別ケース。
[請求項 6] 受入口 (10) がその壁面に、締付力および保持すべき工具 (7) とガイドリブ (6) またはガイドリングの表面の間に生じる摩擦が生じることを防ぐ、軸方向に走るガイドリブ (6) またはガイドリングを有していることを特徴とする、前記請求項 1 から 5 のいずれかに記載の個別ケース。
[請求項 7] 個別ケース (1) が保護カバー (24) によって、ベース部 (2) の最初のグリップリブ (12) までを包囲されていることを特徴とする、前記請求項 1 から 6 のいずれかに記載の個別ケース。
[請求項 8] 保護部 (3) が U プロフィールとして形成されており、締付部 (4) が U プロフィールのサイドシャンク上の一列に対面するスリット (18) によって収容部 (5) と分離されており、それによって締付部 (4) の壁面が弾性に形成されていることを特徴とする、前記請求項 1 から 7 までのいずれかに記載の個別ケース。
[請求項 9] 締付部 (4) が、保持すべき工具 (7) のためのクランピングホルダ (21) を形成する 1 つまたは 2 つの互いに間隔を置いて配置されたセンタリングリブ (16、17) を有することを特徴とする、前記請求項 1 から 8 のいずれかに記載の個別ケース。
[請求項 10] サイドシャンク外側の可撓性域、保護部 (3) の本体中心線 (31) 上部において締付部 (4) の内のり幅から突出する、長形に形成された圧迫ネップ (19) が任意の並べ方で配置されていることを特徴とする、前記請求項 1 から 9 のいずれかに記載の個別ケース。
[請求項 11] 保護部 (3) の可撓性サイドシャンクが、配置された圧迫ネップ (19) にかかる圧縮力によって内側へ向けて矢印方向 (28) に適度に曲がり、それによってクランピングホルダ (21) が内側の幅を縮小されて、保持すべき対象物のための適切な締付具を形成することを特徴とする、前記請求項 1 から 10 のいずれかに記載の個別ケース。
[請求項 12] センタリングリブ (16、17) のクランピングホルダ (21) が、U プロフィールの開放した側を向いた開口部に、保持すべき対象物がわずかな圧力を受けて中に挿入される、2 つの 向き合って並ぶクランピングフレーム (22) を有し、クランピングホルダ (21) 内において拘持する保持力を有すること特徴とする、前記請求項 1 から 11 のいずれかに記載の個別ケース。
[請求項 13] 保護カバー (24) を保護部 (3) に被覆する際に、保護カバー (24) 内側が圧迫ネップ (19) の上を走り、これを矢印方向 (23) に圧縮し、それによって締付部 (4) の U プロフィールのサイドシャンクが矢印方向 (28) に内側へ傾斜し、クランピングホルダ (21) がそこで工具 (7) のシャフト (8) によって閉じ、工具 (7) をクランピングホルダ (21) 内で拘持して配置することを特徴とする、前記請求項 1 から 12 のいずれかに記載の個別ケース。
[請求項 14] 保護カバー (24) が保護部 (3) 上へスライドさせる際に、内側を向いた突起 (26) によって、保護部 (3) の領域に配置された溝 (20) および、周囲を囲むフランジ (11) の領域に配置された溝 (14) によってベース部 (2) を係合することを特徴とする、前記請求項 1 から 13 のいずれかに記載の個別ケース。
[請求項 15] 個別ケース (1) への工具 (7) 装着が、受入口 (10) 内へのシャフト (8) の落下によって行われ、それに続いて、保護部 (3) をフィルムヒンジ (13) 域で水平軸 (29) 上で矢印方向 (32) に旋回させたときに、前後に配置された両センタリングリブ (16、17) のクランピングホルダ (21) が、対面配置されている両クランピングフレーム (22) の克服によって工具のシャフト (8) にはまることを特徴とする、前記請求項 1 から 14 のいずれかに記載の個別ケース。
【００１４】
本発明の主な特徴は、ベース部に形成された受入口が保持すべき工具を緩く嵌合し (つまり固定されていない)、保護部が少なくとも２つの機能的に互いに分離された部分、つまり締付部と締付を行わない収容部から成り、保護カバーが個別ケースの上にスライドされることによって、保護部内に配置された締付部が精密工具に締付力を及ぼすことである。
【００１５】
前記の技術的特徴により、ベース部で水平軸上に旋回可能に保持された保護部上にカバーをスライドさせてから初めて、そこで保持すべき精密工具上に完全な締付力が作用するという主だった長所が得られる。それによると、ＤＥ  １０  ２００５  ０２２  ３８５  Ａ１  が示すように弁状または逆フック状の弾性舌片が不要となるが、本発明では保護部の締付部域にカバーがスライドされて初めて、保持すべき精密工具が締め付けられ、保持されることによって完全な締付力が得られるようになっている。保護カバーがスライドされない限り、工具には締付部による位置固定のような軽い締付力しか作用しない。
【００１６】
それにより以前の出願では知られていなかった複数の長所が発生する。
本発明は３つの機能的に互いに分離した部位に分けられる：
1. 工具を上からベース部に自動装着できるように、保持すべき工具がベース部の受入スペースで固定されずに配置されるベース部。工具は自動装着可能なように、ベース部のホルダの中へその縦軸方向にシャフトから先に落とされる。
2. ベース部に水平軸上で旋回可能に配置されており、機能的に互いに分離した２つの異なる部分から成る保護部。
2a. 保護カバーを被せることによって締付作用が強化される締付センタリングリブを有する締付部、および
2b. 締付を行うホルダを有せず、工具上部を U 断面状に保護するように囲む収容部。
【００１７】
本発明において重要なのは、ベース部では締付力が作用せず、そこでは精密工具のシャフトが比較的拘束を受けずに自由に動くことができ、それにより自動装着が非常に容易となっていることである。そのため自動装着時に、ベース部の当該受入口に摩擦を克服しつつ保護すべき精密工具を挿入するためのスライディングツールを必要としない。本発明はむしろ、保持すべき精密工具をこの受入口の「中に落とせる」ように、ベース部の受入口に隙間が設けられている設計が好ましい。
【００１８】
本発明はもちろん、ベース部におけるそのような隙間を設けた受入口に制限されるものではない。軽い圧力ばめを設けても良い。どちらにしても、保護すべき折損の恐れのある対象物が、追加的な機械的装着ツールおよびスライダなしに、簡単にベース部に挿入されるようにする。ベース部には締付結合や大きな締付力は設けないものとする。
【００１９】
また、後に保護すべき精密工具の上に旋回される保護部においても、保持すべき対象物に作用する締付力がわずかであることが重要である。締付力は存在するが、その役割は位置を固定するだけに留められ、１つまたは２つ以上の互いに間隔を置いて一列に配置されたクランピングホルダによって作用するものとする。
【００２０】
これらのセンタリングリブは前後に配置されたクランピングホルダを形成し、保護部がベース部から旋回された状態から、ベース部の縦軸に整合された位置に倒されたときに、これらのクランピングホルダに保持すべき工具が押し込まれる。これによりセンタリングリブを形成するクランピングホルダが、締付ベースから突出した工具部分に重なり、保護部の旋回動作完了と共にこの部分がクランピングホルダの中に押し込まれて、そこで係合する。工具はそれにより保護部の中で位置を固定されて収容され、まだ保護カバーが被されていなくても、ケースを次のプロセスに移すことができる。工具が保護部や締付ベースから脱落する危険は発生しない。保護部の締付部におけるこの工具締付係合により、保護部が締付ベースと並んだ旋回位置から不用意に倒れて戻ってしまうことがなくなるという、さらなる長所が発生する。
【００２１】
それでも、保持すべき工具に作用する本来の締付力は、カバーが保護部の上にスライドされてから初めて発生する。そのため、この保護部の締付部域の保護部外側に外接して、保護部の外のりを突出する圧迫用の突起、あるいは厚みを強化した断面またはそれ同様のものが設けられており、これらは摩擦を受けつつカバー内側に当接し、それによりカバー壁面部によって内側へ向かって押し付けられる。
【００２２】
説明をより簡素化するため、以下の説明では圧迫用の突起を用いた締付について説明するが、本発明はそのような圧迫用の突起に限るものではない。
【００２３】
保護カバーをスライドさせると、締付部側面のＵ型シャンク部が (Ｕ型シャンク部の弾性スプリング負荷に対抗しつつ) 内側に向けられ、それによってこの部分に配置されたクランピングホルダの直径が大幅に縮小されて、クランピングホルダ内に配置された工具が完全に、およそ２７０度の角度範囲を締め付けられる。重要なのは、その結果カバーが個別ケース上にスライドしてから初めて最大締付力が得られること、そしてＵ型シャンク部の側面に配置された圧迫用の突起がこのＵ型シャンク部をはね返しつつ内側に変形し、それによりクランピングホルダの内のり幅が小さくなるということである。先にクランピングホルダ内で位置のみが固定されていた工具は、これにより最終的に大きな締付力で固定される。
【００２４】
この目的のため、保護部は２つの部位で形成され、締付部とそれに縦方向つながった収容部で構成されるものとする。締付部は断面を薄くした壁または完全なスリットによって収容部と隔てられている。
【００２５】
締付部の断面が、両サイドプレートの外側に前述の圧迫突起が設けられたＵ型断面加工された物体でできており、保護カバーをこの圧迫用の突起上にスライドさせたときに、両サイドプレートが互いに弾性変形して、両サイドプレート間に配置されたクランピングホルダの直径を縮小するようになっていることが好ましい。
【００２６】
保護部の設計にはＵ型断面の他に、長方形、正方形、楕円形、丸形などの片側が開口した断面形状を選ぶことも可能である。
【００２７】
本発明では、その締付部と収容部による２つの部位で構成される保護部が、ベース部で保護部の水平旋回ベアリングを形成するフィルム状のヒンジに締付部が直接つながっているように形成されている設計が好ましい。
【００２８】
しかし本発明はこれに限るものではない。フィルム状のヒンジがまず締付けを行わない収容部につながっており、その次に所定のスリットまたは断面が薄くなった壁によって締付部が連結し、その締付部もまた締付を行わない収容部につながっている設計となっていても良い。
【００２９】
締付部の種類および位置は保持すべき精密工具のシャフトの長さによって変わる。
本発明の発明対象物は、各請求項のみから生じるのではなく、各請求項同士の組み合わせからも生じる。
【００３０】
要約を含む本書類の中で示されたデータおよび特徴、特に図面に示された空間的な構造はすべて、単一で、または組み合わせにおいて、状来の技術に対して新規である限り、発明の本質であるとしてその権利を要求する。
【発明を実施するための最良の形態】
【００３１】
複数の設計方法を示す図面を基に、以下に本発明について詳しく説明する。その際、図面およびその説明を基にして発明のその他の重要な特徴および発明の長所が生じる。
【００３２】
図１および図２は、ベース部２と、ベース部２に対して水平軸２９上でフィルム状のヒンジ１３によって同素材で接合された保護部３と、個別ケース１の全体を包む保護カバー２４（図７，図８参照）の３つのパーツで主に構成される個別ケース１の全体図である。
【００３３】
従って、図１に示す工具装着位置では、円筒形の工具シャフト８を有する工具７が、ベース部２内の上側へ開口した受入口１０の中に落とし込まれる。落とし込みは工具挿入方向１５に行われるが、工具シャフト８が単純に重力に従ってベース部２に落とし込まれるように、受入口１０が工具シャフト８を緩く嵌合するようになっていることが好ましい。
【００３４】
図５からも明らかであるように、受入口１０の内側には、互いに間隔を置いて等間隔で周囲に配置されたガイドリブ６が設けられている。ここで合計４つのガイドリブ６が受入口１０を形成していることは、課題解決のために必要不可欠ではない。ガイドリブ６を４つ以上設けても、合計３つだけにしてもよい。また、ガイドリブ６の代わりに、同様に当該受入口１０を定義するガイドリングなどの他の保持構造を使用してもかまわない。
【００３５】
どちらにしても重要なのは、この受入口１０の領域で工具７への締付力がまったく、もしくはわずかしか作用しないことであり、そのため工具７が重量および重力に従って受入口１０の中に落とし込まれるか、またはそこで中に押し込まれるようになっていることである。なお、ベース部２は、その上に連結せられる保護部３と同素材で一体に射出成形されたプラスチック製の物体である。従って、フィルム状のヒンジ１３は、ベース部２だけでなく保護部３とも同素材で連結する様に構成されている。
【００３６】
ベース部２は主に正方形の中空体として構成され、外側に一連のグリップリブが配置されている。ただしグリップリブはなくても良い。グリップリブの上側には一回り外径の小さいフランジ１１が形成されており、一番上のグリップリブ１２が、後で被せられる保護カバー２４のためのストッパーリブを構成している。
【００３７】
保護カバー２４の下端３０が、図７，図８の図面に示す様に、ストッパーリブ１２に当たって止まる。同時に保護カバー２４が保護部３およびベース部２と係合して結合するが、これについては後ほど詳しく説明する。
【００３８】
保護部３は機能的に２つの部位に分けられており、締付部４と収容部５で構成される。
【００３９】
保護部３は全体的にＵ字状の断面形状をしており、ベースプレート１つと、それに同素材で接合されたサイドプレート２つで構成される。
【００４０】
締付部４を収容部５と区切るために、保護部３のサイドプレートの壁面にサイドプレートを貫通するスリット１８を設け、それにより締付部４の壁面に可撓性を持たせている。スリット１８は図１および図２が示すように、互いに向き合って一列に配置されている。
【００４１】
締付部４の領域には、保持すべき工具７を保持するためのクランピングホルダ２１を形成する２つのセンタリングリブ１６，１７が互いに間隔を置いて配置されている。あるいは、センタリングリブ１６または１７のどちらか１つのみか、センタリングリブ１６，１７が２つ以上設けられていても良い。
【００４２】
互いに間隔を置いて配置されたセンタリングリブ１６，１７が、解決手段として必ずしも合計２つ必要であるわけではもちろんない。本発明の目的のためには、センタリングリブ１６または１７のどちらか１つで十分であり、センタリングリブを２つ以上設けても良い。
【００４３】
重要なのは、締付部４のサイドプレートの外側に、外寸が締付部４の内のり幅から突出する圧迫用の突起１９が配置されていることである。これは 図１０を見るともっとも良くわかる。
【００４４】
これに関しては、圧迫用の突起１９が保護カバー２４のスライド動作方向２７に伸びる突条として形成されていることが好ましい。
【００４５】
ただし本発明はこれに制限されるものではない。圧迫用の突起１９は単一の点で形成されていても、適切な間隔を置いて前後に一列に並べられた点で形成されていても、何ら支障はない。
【００４６】
代替的な設計として、各Ｕ字型断面のシャンクの旋回可能な上部域の厚みが全体的に強化されていても、この強化が上部正面域 (図１０の撓み方向２８が示す部分) にのみ及んでいるものであっても良い。また、図９が示すように、圧迫用の突起１９が両サイドプレートの可撓域に配置されていることも重要である。
【００４７】
これを見ると、圧迫用の突起１９が中心線３１からスペース２５を置いて中心線よりも上側の、締付部４のＵ字型断面の対面する両サイドプレートの上部域に配置されていることがわかる。これにより、圧縮力が作用する際に図１０の矢印方向２８に従ってサイドプレートが内側へ向かってたわみ、それによりクランピングホルダ２１の内径が縮小する。これは図９と図１０を比較するともっとも良くわかる。
【００４８】
図９ではクランピングホルダ２１が上へ向かって開口しており、保持すべき工具がわずかな圧力でクランピングフレーム２４に挿入されると、クランピングホルダ２１内で一時的に保持されるようになっている。
【００４９】
図１０ではこのクランピングフレーム２４が相互に向き合って動き、クランピングホルダ２１全体が閉じていることが、図９と 図１０を比較するとわかる。
【００５０】
これにより、図１１のようにカバー２４が被せられると、保持すべき工具のシャフト８はクランピングホルダ２１にほぼ完全に (およそ２７０度の範囲にわたって) 固定されて動かなくなる。
【００５１】
これは図１１の図形を見るとわかる。カバー２４を被せることにより、カバー内側が圧迫用の突起１９の上に重なってこれを圧迫方向２３に圧縮し、それによって締付部４のＵ字断面のサイドプレートが撓み方向２８に向かって内側に傾き、クランピングホルダ２１がその中で保持されているシャフト８を挟み付ける。これによりシャフト８が拘持される。その結果、従来の技術とは違い、工具７の先端９がカバー２４の内側の面のいずれかに当たることは不可能になる。
【００５２】
カバー２４を被せると、カバー２４と保護部３のパーツとの係合だけでなく、カバー２４とベース部２の係合も行われる。
【００５３】
この目的のために、カバー２４には内側を向いた突起２６が設けられており、突起２６の上側の列は保護部３の溝２０と係合し、同時に、他の突起２６とのもう１つの係合結合が、ベース部２のフランジ１１を囲む溝１４の領域で行われる。
【００５４】
その結果、保護カバー２４は保護部３とベース部２で二重に係合されることになる。他に保護カバー２４の被覆は、図７および図８に示されているように、スライド動作方向２７に行われる。
【００５５】
その場合、本発明に拠る装着プロセスは以下の手順で行われる。
【００５６】
図１が示すように、工具７はそのシャフト８から受入口１０の中に落とされるか、わずかな力によって挿入方向１５へ押し込まれる。次に、保護部３がフィルム状のヒンジ１３の領域で水平軸２９を中心に起立方向３２に旋回され、それによって、前後に並んだセンタリングリブ１６および１７の両方が、そこに形成されるクランピングホルダ２１によって工具７のシャフト８に順番にはめられる。つまり工具７のシャフト８は、クランピングホルダ２１がまだ開いている状態でクランピングフレーム２２をかわす必要がある。
【００５７】
それにより、保持すべき工具７は保護部３において軽い締付結合によって保持されることになり、ベース部２の上へ向かって開口した受入口１０から脱落する可能性はないため、ベース部２と保護部３に一時的な位置固定の形で保持される。これによりこのように装着された状態のケースは、この後のプロセスが容易となる。
【００５８】
次のプロセスでは、図６から図８が示すように、保護カバー２４がスライド動作方向２７へ向けて保護部上にスライドされ、保護カバー壁面内側に配置された突起２６がベース部２および保護部３の溝１４，２０による嵌合に達する。
【００５９】
このスライド動作中、図１０に示されているように、断面積を拡大された圧迫用の突起１９がカバー２４の内側に当接して内側に押される。それにより締付部４のＵ字型断面の両側サイドプレートが互いに近づく様に動くため、それにより工具７のシャフト８が前後に一列に配置されたセンタリングリブ１６，１７のクランピングホルダ２１によって周りを締め付けられ、締付部４のクランピングホルダ２１内で非常に強力な締付け力で保持される。
【００６０】
これにより個別ケース１が完全に密封され、発送可能状態となる。
【００６１】
前述の処置の長所は、保護部３において非常に確実で不動な工具７の保持が提供されること、そして保護部３および繊細な工具７における本当の締付結合が、保護カバー２４をスライド動作方向２７にスライドさせて初めて行われることである。それでもこの状態での工具７は、保護部３および ベース部２のホルダですでに保護された状態で保持されているため、カバー２４をスライドさせる際に損傷を受けることはない。
【００６２】
なお、本実施形態におけるセンタリングリブ１６，１７をエラストマを二色成形することによって構成することにより、保護カバー２４を装着していない状態における工具７に接している状態における摩擦力を高めるとなおよい。
【図面の簡単な説明】
【００６３】
【図１】実施形態の精密工具用個別ケースの斜視図。
【図２】実施形態の精密工具用個別ケースに工具を装着した状態の斜視図。
【図３】図２に従う図形の前面図。
【図４】図２に示すIV−IV 線に沿って保護部を切断した場合に得られる断面図。
【図５】図２に従った配置を上から見た場合の平面図。
【図６】保護カバーを含まない、装着完了状態の個別ケースの側面図。
【図７】保護カバーをスライドさせているときの個別ケースの側面図。
【図８】保護カバーが固定された状態の個別ケースの側面図。
【図９】工具が挿入されていない状態の保護部の締付部の断面図。
【図１０】工具が挿入されて軽く締付けられた状態の保護部の断面図。
【図１１】保護カバーを被せた状態の締付部の断面図。
【符号の説明】
【００６４】
１・・・個別ケース
２・・・ベース部
３・・・保護部
４・・・締付部
５・・・収容部
６・・・ガイドリブ
７・・・工具
８・・・工具シャフト
９・・・工具の先端
１０・・・受入口
１１・・・ベース部のフランジ
１２・・・一番上のグリップリブ（ストッパーリブ）
１３・・・フィルム状のヒンジ
１４・・・ベース部のフランジを囲む溝
１５・・・工具挿入方向
１６，１７・・・センタリングリブ
１８・・・スリット
１９・・・圧迫用の突起
２０・・・保護部の溝
２１・・・クランピングホルダ
２２・・・クランピングフレーム
２３・・・圧迫方向
２４・・・保護カバー
２５・・・スペース
２６・・・カバーの内側を向いた突起
２７・・・スライド動作方向
２８・・・撓み方向
２９・・・水平軸
２９・・・水平軸
３０・・・保護カバーの下端
３１・・・中心線
３２・・・起立方向
【図１】
2008188764.tif 000003
【図２】
2008188764.tif 000004
【図３】
2008188764.tif 000005
【図４】
2008188764.tif 000006
【図５】
2008188764.tif 000007
【図６】
2008188764.tif 000008
【図７】
2008188764.tif 000009
【図８】
2008188764.tif 000010
【図９】
2008188764.tif 000011
【図１０】
2008188764.tif 000012
【図１１】
2008188764.tif 000013